(57)【特許請求の範囲】
【請求項１】
キャンピングカー用カセットトイレ又はポータブルトイレに設けられた汚水タンクを取り外した後、該汚水タンク内を自動的に洗浄できる汚水タンク洗浄装置であり、
前記汚水タンク洗浄装置は、
装置内部の処理槽に、排水路と連結された汚水排出部を有すると共に、該汚水排出部内には、液体押し出し部に連結され、先端には前記液体を外部へ噴出させる洗浄ノズルを有し、処理槽略中央位置より上方に向かって突設する突設パイプ部を備えたパイプ状洗浄部と、を備え、
装置表面には、点灯時に使用可能状態を示すランプと、点灯時に処理槽内洗浄中を示すランプと、点灯中に汚水タンク内洗浄中を示す汚水タンク内洗浄中ランプと、を有すると共に、装置内部には、前記各ランプの点灯制御を行う制御部を備えてなり、
内部の汚水が前記汚水排出部に排出された、排出口が狭窄部として構成されてなる汚水タンク内の洗浄は、前記汚水タンクを前記排出口からパイプ状洗浄部を内部に進入させて、該汚水タンクをパイプ状洗浄部に立設配置させ、前記洗浄ノズルから水を押し出し噴出させて汚水タンク内を洗浄可能とし、
前記汚水タンクの立設配置検知は、タンク用リミットスイッチにより検知でき、前記汚水タンクの立設配置検知後所定時間経過の後、洗浄ノズルから水が所定時間噴出し、汚水タンク内を洗浄出来る構成とされ、
前記処理槽内の洗浄は、装置蓋を閉じた後、槽内洗浄ノズルから液体を噴出させて、処理槽内を洗浄する、
ことを特徴とする汚水タンク洗浄装置。
【請求項２】
前記汚水タンク内洗浄は、前記洗浄ノズルを前記汚水タンクの排出口から進入させた後、汚水タンクの立設配置をタンク用リミットスイッチが検知し、該検知により制御部が洗浄ノズルから水を一定時間押し出す制御を行う、
ことを特徴とする請求項１記載の汚水タンク洗浄装置。
【請求項３】
前記処理槽内の洗浄は、装置蓋の閉蓋をふたリミットスイッチが検知し、該検知により制御部が、洗浄ノズルから前記液体を一定時間噴出させて、処理槽内を洗浄する制御を行う、
ことを特徴とする請求項１または請求項２記載の汚水タンク洗浄装置。
【発明の詳細な説明】
【技術分野】
【０００１】
本発明は、例えば、キャンピングカー用カセットトイレ又はポータブルトイレなどに設けられた汚水タンクを取り外した後、該汚水タンクの内部をも手を汚すことなく簡単に自動的に洗浄できる汚水タンク洗浄装置に関するものである。
【背景技術】
【０００２】
例えば、キャンピングカーのトイレ構造には、大きく分けて汚水タンクが取り外し式のカセットトイレ方式と、大容量汚水タンクが車体に固定されているブラックタンク方式の2種類があると言われている。
共にトイレ便座の下が汚水タンクになっており、簡易水洗で自重落下で溜まっていく。
【０００３】
これらの処理及び清掃についてであるが、カセットトイレはタンクが取り外し式になっているため、該タンクを例えば公衆のトイレなどに持ち込み、中身を捨てることになる。
尚、カセットトイレの中には事前に汚水分解と消臭を兼ねた薬剤と相応の水がを入れられてあるのである程度スムーズに流すことができる。
【０００４】
しかし、多少残留物があるため、従来は何度か水ですすぎ洗いをしなければならないとの課題があった。
【先行技術文献】
【特許文献】
【０００５】
【特許文献１】特開２００９−１７４２４３号公報
【発明の開示】
【発明が解決しようとする課題】
【０００６】
かくして、本発明は、上記の課題に対処すべく創案されたものであって、タンク内に多少の残留物があったとしても、水ですすぎ洗いを手作業で行うことなく、簡単な作業で自動的にタンク内を洗浄できる汚水タンク洗浄装置を提供することを目的とするものである。
【課題を解決するための手段】
【０００７】
本発明は、
キャンピングカー用カセットトイレ又はポータブルトイレに設けられた汚水タンクを取り外した後、該汚水タンク内を自動的に洗浄できる汚水タンク洗浄装置であり、
前記汚水タンク洗浄装置は、
装置内部の処理槽に、排水路と連結された汚水排出部を有すると共に、該汚水排出部内には、液体押し出し部に連結され、先端には前記液体を外部へ噴出させる洗浄ノズルを有し、処理槽略中央位置より上方に向かって突設する突設パイプ部を備えたパイプ状洗浄部と、を備え、
装置表面には、点灯時に使用可能状態を示すランプと、点灯時に処理槽内洗浄中を示すランプと、点灯中に汚水タンク内洗浄中を示す汚水タンク内洗浄中ランプと、を有すると共に、装置内部には、前記各ランプの点灯制御を行う制御部を備えてなり、
内部の汚水が前記汚水排出部に排出された、排出口が狭窄部として構成されてなる汚水タンク内の洗浄は、前記汚水タンクを前記排出口からパイプ状洗浄部を内部に進入させて、該汚水タンクをパイプ状洗浄部に立設配置させ、前記洗浄ノズルから水を押し出し噴出させて汚水タンク内を洗浄可能とし、
前記汚水タンクの立設配置検知は、タンク用リミットスイッチにより検知でき、前記汚水タンクの立設配置検知後所定時間経過の後、洗浄ノズルから水が所定時間噴出し、汚水タンク内を洗浄出来る構成とされ、
前記処理槽内の洗浄は、装置蓋を閉じた後、槽内洗浄ノズルから液体を噴出させて、処理槽内を洗浄する、
ことを特徴とし、
または、
前記汚水タンク内洗浄は、前記洗浄ノズルを前記汚水タンクの排出口から進入させた後、汚水タンクの立設配置をタンク用リミットスイッチが検知し、該検知により制御部が洗浄ノズルから水を一定時間押し出す制御を行う、
ことを特徴とし、
または、
前記処理槽内の洗浄は、装置蓋の閉蓋をふたリミットスイッチが検知し、該検知により制御部が、洗浄ノズルから前記液体を一定時間噴出させて、処理槽内を洗浄する制御を行う、
ことを特徴とするものである。
【発明の効果】
【０００８】
本発明による汚水タンク洗浄装置であれば、タンク内に多少の残留物があったとしても、水ですすぎ洗いを手作業で行うことなく、簡単な作業で自動的にタンク内を洗浄できることとなる。
すなわち、汚水タンク内の汚水を下水設備へ廃棄すること、そして、廃棄後汚水タンク洗内部を自動で洗浄でき、その後、洗浄装置槽内をも自動洗浄できるとの優れた効果を奏するものとなる。
【発明を実施するための形態】
【０００９】
以下本発明を図に示す実施例に基づいて説明する。
図において、符号１は汚水タンク洗浄装置を示す。
該汚水タンク洗浄装置１は、装置内部に処理槽２を有している。この処理槽２には、外部の排水路と連結された汚水排出部３が設けられている。
【００１０】
そして、該汚水排出部３内には、液体押し出し部となる給水管４に連結され、先端に前記液体である水を外部へ噴出させる洗浄ノズル５を有し、処理槽２略中央位置より上方に向かって突設する突設パイプ部６を備えたパイプ状洗浄部７を備えて構成されている。
【００１１】
また、汚水タンク洗浄装置１の表面上部には、点灯時に使用可能状態を示す電源ランプ８と、点灯時に処理槽内洗浄中を示す槽内洗浄中ランプ９と、点灯中に汚水タンク内洗浄中を示すタンク洗浄中ランプ１０とを有している。そして、装置上部の内部には、前記各ランプ８、９、１０の点灯制御を行う制御部１１を備えている。
【００１２】
ここで、符号１２は汚水タンクを示し、該汚水タンク１２は、その排出口１３が狭窄部として構成されている。そして、汚水タンク１２内の汚水は、前記汚水排出部３に排出可能とされている。
次いで、汚水排出後の汚水タンク１２内の洗浄が必要となるが、係る洗浄作業は、本装置１によって、自動的に行える様に構成されている。すなわち、前記汚水タンク１２を前記排出口１３からパイプ状洗浄部７をタンク１２の内部に進入させ、汚水タンク１２をパイプ状洗浄部７に立設配置する。配置後に前記洗浄ノズル５から水を押し出し噴出させて汚水タンク１２の内部を洗浄する。
【００１３】
ここで、汚水タンク１２の設置検知は、例えばタンク用リミットスイッチ１４により検知できるものとなっている。そして、例えば、汚水タンク１２の配置後２０秒経過すると、洗浄ノズル５から水が略１５秒間噴出し、汚水タンク１２内を洗浄する。洗浄中は、タンク洗浄ランプ１０が点灯する。
尚、前記２０秒あるいは１５秒の時間設定は変更可能となっている。
【００１４】
次に、汚水タンク１２の洗浄が完了したときには、最終的に処理槽２内も洗浄しなければならない。
ここで、処理槽２内の洗浄は、装置１の蓋１５を閉じたとき、例えば、ふたリミットスイッチ１６が蓋閉じを検知し、槽内洗浄ノズル１７から水を噴出させて、処理槽２内を洗浄するものとなる。
【００１５】
以上、本装置の動作の概略を説明すると、
１．正面の使用可能ランプである電源ランプ８の点灯確認後、装置１の蓋１５を開ける。
２．汚水タンク１２を傾けて処理槽２の汚水排出部３内へ廃棄する。
３．廃棄後、汚水タンク１２の排出口１３から洗浄ノズル５を進入させ、洗浄ノズル５が内部に止まるまで挿入する。
４．挿入すると２０秒（設定可能）後、洗浄ノズル５より噴出し汚水タンク１２の内部を１５秒間（設定可能）洗浄する。
洗浄中は汚水タンク洗浄中ランプ１０が点灯する。
５．汚水タンク洗浄ランプ１０の点灯中は絶対に引き抜かない。
消灯後もすぐに抜かず少し間を置いて引き抜く。
６．汚水タンク１２の引き抜き後、汚水タンク１２内に残水を確認し、あれば廃棄する。
７．廃棄完了後、本装置１の蓋１５を閉める
８．蓋１５を閉めた１０秒（設定可能）後、自動フラッシュ弁１８が働き、汚水を下水道管に流す。
同時に処理槽２内の洗浄を行う。
９．洗浄完了後、使用可能ランプである電源ランプ８が点灯し洗浄工程が完了する。
【図面の簡単な説明】
【００１６】
【図１】本発明による汚水タンク洗浄装置の構成説明図（１）である。
【図２】本発明による汚水タンク洗浄装置の構成説明図（２）である。
【図３】本発明による汚水タンク洗浄装置の構成説明図（３）である。
【図４】本発明による洗浄の手順を説明する説明図（１）である。
【図５】本発明による洗浄の手順を説明する説明図（２）である。
【符号の説明】
【００１７】
１      汚水タンク洗浄装置
２      処理槽
３      汚水排出部
４      給水管
５      洗浄ノズル
６      突設パイプ部
７      パイプ状洗浄部
８      電源ランプ
９      槽内洗浄ランプ
１０    タンク洗浄ランプ
１１    制御部
１２    汚水タンク
１３    排出口
１４    タンク用リミットスイッチ
１５    装置蓋
１６    ふたリミットスイッチ
１７    槽内洗浄ノズル
１８    自動フラッシュ弁
【図１】
0006583881.tif 000002
【図２】
0006583881.tif 000003
【図３】
0006583881.tif 000004
【図４】
0006583881.tif 000005
【図５】
0006583881.tif 000006